(57)【要約】  基部（１２）、基部と機能的に連結している少なくとも２つの叉部（１６、１７）から成る清掃用具（１０）であって、各叉部が、清掃部分を備えている少なくとも１つの清掃材を受容可能であり、少なくとも２つの叉部が長手軸とほぼ平行であり、清掃用具を長手軸を中心に３６０°回転させると、清掃用具が清掃部分を少なくとも約１８５°の間の表面に接触させることが可能である清掃用具。
2008540059.tif 000002
【特許請求の範囲】
【請求項１】
清掃用具であって、
基部と、
前記基部と機能的に連結している少なくとも２つの叉部であって、各叉部は清掃部分を備えている少なくとも１つの清掃材を受容可能で、前記少なくとも２つの叉部は長手軸とほぼ平行である当該少なくとも２つの叉部と、
を備え、前記清掃用具を前記長手軸を中心に３６０°回転させると、前記清掃用具は前記清掃部分を少なくとも約１８５°の間の表面と接触させることが可能である清掃用具。
【請求項２】
基部と、
前記基部と機能的に連結している第１の叉部及び第２の叉部であって、少なくとも１つの清掃材を受容可能である当該第１の叉部及び第２の叉部と、
前記第１の叉部と前記第２の叉部との間に縦方向に配置されている旋回軸であって、前記第１の叉部又は前記第２の叉部の少なくとも１つが、前記旋回軸のまわりに少なくとも部分的に回転可能である当該旋回軸と、
前記第１の叉部又は前記第２の叉部の少なくとも１つと機能的に連結しているロックであって、前記第１の叉部又は前記第２の叉部の少なくとも１つを前記旋回軸のまわりに少なくとも一時的に固定可能である当該ロックと、
を備える清掃用具。
【請求項３】
基部と、
前記基部と機能的に連結している第１の叉部及び第２の叉部であって、少なくとも１つの清掃材を受容可能である当該第１の叉部及び第２の叉部と、
前記第１の叉部と前記第２の叉部との間に縦方向に配置されている旋回軸であって、前記第１の叉部又は前記第２の叉部の少なくとも１つが、前記旋回軸のまわりに少なくとも部分的に回転可能である当該旋回軸と、
前記第１の叉部又は前記第２の叉部の少なくとも１つと機能的に連結している第１のロックであって、前記第１の叉部又は前記第２の叉部の少なくとも１つを前記旋回軸のまわりの第１の位置内に、少なくとも一時的に固定可能である当該第１のロックと、
前記第１の叉部又は前記第２の叉部の少なくとも１つと機能的に連結している第２のロックであって、前記第１の叉部又は前記第２の叉部の少なくとも１つを前記旋回軸のまわりの第２の位置内に、少なくとも一時的に固定可能である当該第２のロックと、
を備える清掃用具。
【発明の詳細な説明】
【技術分野】
【０００１】
ほこりを制御する難しさは、当該技術分野において十分に立証されてきた。実際、大半の者は、家、職場などでほこりの塊に遭遇してきている。しかし、ほこり粒子の塊の制御は、長年認識されている難事である。
【背景技術】
【０００２】
ほこりを制御するための装置としては、布やタオルでふくような単純なアイテムが挙げられる。しかし、布やタオルを用いると、ユーザーに多大な負担がかかる。例えば、布やタオルの届く範囲は、ユーザーの腕及び／又は手の長さとほぼ同じである。更に、布やタオルは、布やタオルに捕捉されたほこり粒子がユーザーの体に接触しやすく、そのために、ほこり粒子を拡散させやすいという清潔面の問題をもたらす。
【０００３】
その他の清掃用具も検討されてきた。これらの用具の未解決の問題の１つは、その用具によって清掃できる表面の量に関するものである。具体的には、これらの清掃用具の構成は１度に１つの平面しか清掃できないものであり、その結果、清掃作業が非効率的になる。これらの清掃用具は１度に１つの平面しか清掃できないため、清掃対象の表面からほこりを十分除去するには、清掃用具を少なくとも２回通過させなければならない。
【０００４】
雑巾や清掃用具の清掃特性を向上させる試みが行われてきたが、その問題及び非効率性をほぼ取り除く清掃用具が存在したことは今日までない。
【発明の開示】
【発明が解決しようとする課題】
【０００５】
したがって、ユーザーの労力を最大限に活かすとともに、ほこり粒子の拡散を最小化する清掃用具を開発するのが非常に望ましい。更には、清掃用具の機能性及び汎用性を最大化するのが非常に望ましい。本発明によってこれらの目標が達成される。
【課題を解決するための手段】
【０００６】
本発明の第１の態様は、基部、基部と機能的に連結している少なくとも２つの叉部から成る清掃用具に関するものであり、叉部の各々は、清掃部分を備えている少なくとも１つの清掃材を受容可能であり、少なくとも２つの叉部は長手軸とほぼ平行であり、清掃用具は、長手軸を中心に３６０°回転させると、清掃部分を少なくとも約１８５°の間の表面に接触させることが可能である。本発明の第２の態様は、基部、基部と機能的に連結している第１の叉部及び第２の叉部（第１の叉部及び第２の叉部は、少なくとも１つの清掃材を受容可能である）、第１の叉部と第２の叉部との間に縦方向に配置されている旋回軸（第１の叉部又は第２の叉部の少なくとも１つは、旋回軸のまわりに少なくとも部分的に回転可能である）、並びに、第１の叉部又は第２の叉部の少なくとも１つと機能的に連結しているロック（第１の叉部又は第２の叉部の少なくとも１つを旋回軸のまわりに少なくとも一時的に固定することが可能である）から成る清掃用具に関するものである。
【発明を実施するための最良の形態】
【０００７】
本明細書は本発明を特定して指摘し明確に主張する特許請求の範囲をもって結論とするが、本発明は以下の説明から、より深く理解されると考えられる。
【０００８】
本発明の装置、器具、方法、構成成分、及び／又は、組成物は、本発明の構成成分、及び、本明細書に記載のその他の成分を備えることが可能であるか、成分から実質的に成ることが可能であるか、又は成分から成ることが可能である。本明細書で使用する時、「実質的に成る」とは、装置、器具、方法、構成成分、及び／又は、組成物が、追加の成分を備えている場合のあることを意味する。ただし、追加の成分によって、請求する装置、器具、方法、構成成分、及び／又は組成物の基本的且つ新規の特徴が大きく変わらない場合に限る。
【０００９】
特に指定のない限り、本明細書で使用する全ての百分率及び比率は、全組成物の重量を基準とし、且つ全ての測定は２５℃にて行う。１度は完全回転の１／３６０の大きさと等しい角度の平面単位である。可能であれば、角度は内向き表面の外縁部と頂点との間を測定する。外縁部は頂点から遠心的に配置されている。
【００１０】
本明細書で使用するすべての測定値は、特に指定のない限り、メートル単位である。
【００１１】
驚くべきことに、本発明の装置は清掃効率の向上をもたらすことが分かっている。本発明の第１の態様によれば、基部、基部と機能的に連結している少なくとも２つの叉部から成る清掃用具を提供し、叉部の各々は、清掃部分を備えている少なくとも１つの清掃材を受容可能であり、少なくとも２つの叉部は長手軸とほぼ平行であり、清掃用具は、長手軸を中心に３６０°回転させると、清掃部分を少なくとも約１８５°の間の表面に接触させることが可能である。本発明の第２の態様では、基部、基部と機能的に連結している第１の叉部及び第２の叉部（第１の叉部及び第２の叉部は、少なくとも１つの清掃材を受容可能である）、第１の叉部と第２の叉部との間に縦方向に配置されている旋回軸（第１の叉部又は第２の叉部の少なくとも１つは、旋回軸のまわりに少なくとも部分的に回転可能である）、並びに、第１の叉部又は第２の叉部の少なくとも１つと機能的に連結しているロック（第１の叉部又は第２の叉部の少なくとも１つを旋回軸のまわりに少なくとも一時的に固定することが可能である）から成る清掃用具を提供する。
【００１２】
理論に束縛されるものではないが、本発明の清掃用具は、手の届きにくい場所などを清掃しようとする時に、ユーザーの手の届く範囲を拡大させると考えられる。更には、本発明の清掃用具は、１度に複数の表面を少なくとも部分的に清掃可能である。非限定的な例としては、本発明の清掃用具は、２つの表面を少なくとも部分的に清掃可能であり、この場合、前記２つの表面は相互に平行であるとともに、距離を置いて配置されており、清掃用具は、オーディオ機器の下、冷蔵庫など、双方の表面に接することが可能である。
【００１３】
材料
本発明の清掃用具、及びその関連要素は、当業者にとって既知のいずれかの材料から作製する。このような材料としては、金属、木、プラスチック、セラミック、及びこれらの組み合わせが挙げられるが、これらに限らない。１つの実施形態では、プラスチックとしては、熱成形プラスチック、熱硬化性プラスチックが挙げられる。前記プラスチックとしては、高密度ポリエチレン、ポリメチルメタクリレート、ポリプロピレン、ポリカーボネート、ジエチレングリコールビスアリルカーボネート、ポリエチレンテレフタレート、ポリエチレンナフタレート、ポリ塩化ビニル、ポリウレタン、エポキシ樹脂、ポリアミド系樹脂、低密度ポリエチレン、スチレンブタジエンコポリマー、アクリロニトリル、アクリロニトリル−ブタジエンコポリマー、セルローアセテートブチレート、及び、これらの混合物が挙げられるが、これらに限らない。
【００１４】
１つの実施形態では、ほぼ透明又は半透明のプラスチックを用いて清掃用具を形成させる。ほぼ透明又は半透明のプラスチックの光透過率は少なくとも約７０％であり、別の実施形態では少なくとも約８０％、及び、別の実施形態では少なくとも約９０％である。ポリエチレンテレフタレートは、前記の特徴を示すことで知られているプラスチックである。同様に、材料は、単一又は複数の層に加工してもよい。本発明の締結具の構造では多種多様な材料を用いてよいため、選択する材料は、意図する最終用途と、締結具に必要な特徴に基づくことになる。
【００１５】
締結具を形成させる際に用いる材料には広範な色及び色相を持たせることが可能であることは、当業者には理解しやすい。色、及び、透けて見えるほど透明、半透明、半透明、不透明といった透明度のバリエーションを実現させるために、容器を形成させる際に用いる材料を着色及び加工する方法は、当業者であれば容易に理解するであろう。
【００１６】
基部
本発明の清掃用具には基部が備わっている。本発明の基部には、本発明の要素の少なくとも１つと機能的に連結可能であるいずれかの構造が備わっている。１つの実施形態では、基部は、少なくとも１つの叉部と機能的に連結している。基部は、当該技術分野において既知のいずれかの方法、以下に限らないが例えば、成形、共成形、溶接、接合、接着、ネジ留め、くぎ付け、ステープル留めなどによって、少なくとも１つの叉部と連結させることが可能である。
【００１７】
１つの実施形態では、基部はハンドルと機能的に連結している。本発明のハンドルは、用いられる他の要素の中でも特に、清掃用具を操縦又は操作するために用いる。１つの実施形態では、ハンドル及び基部は、アングリング機構によって連結させ、これによって、清掃用具は少なくとも一時的に、ハンドルに対してさまざまな角度で配置されると思われる。アングリング機構は、摩擦又は圧力嵌め装置を用いるヒンジ付き接合部のような連続的機構、及び、ラチェットジョイントのような非連続的な機構から構成されている。ハンドルを基部と機能的に連結させる方法、及び、ハンドルと基部との間にさまざまな角度をもたらす方法は、当業者であれば容易に理解するであろう。
【００１８】
叉部
本発明の清掃用具には少なくとも１つの叉部が備わっている。本発明の、少なくとも１つの叉部は、少なくとも１つの清掃材を受容可能である。１つの実施形態では、少なくとも１つの叉部を覆うように清掃材を滑べらせることによって、少なくとも１つの叉部に清掃材を受容させる。別の実施形態では、少なくとも１つの叉部を清掃材で覆うことによって、少なくとも１つの叉部に清掃材を受容させる。更に別の実施形態では、粘着剤、接着剤、及び／又は、機械的方法、並びに、これらの組み合わせを用いて、少なくとも１つの叉部に少なくとも１回コーティング、ラッピング、固定することによって、少なくとも１つの叉部に清掃材を受容させる。
【００１９】
１つの実施形態では、少なくとも１つの叉部には、少なくとも１つの叉部と機能的に連結している干渉ゾーンが備わっている。理論に束縛されるものではないが、干渉ゾーンは、清掃材と嵌合した時に、固定度を向上させる区域をもたらすと考えられる。１つの非限定的な実施例では、清掃材は、少なくとも１つのボリュームが含まれるように設計されており、それによって、干渉ゾーンが嵌合する。別の実施形態では、干渉ゾーンには、少なくとも１つの叉部から清掃材を取り外してしまう摩擦力及び／又は機械力に対処するために必要な力を高めることのできるいずれかのアイテムが含まれている。アイテムとしては、フックループ式ファスナー（一般にはベルクロ（Velcro）（登録商標）と呼ばれている）、粘着剤、接着剤、窪んだ領域、溝付き領域、文字、数字、絵柄、図形などの形をした隆起領域などの隆起及び／又は沈下領域が挙げられる。更には、干渉ゾーンには、少なくとも１つの叉部の上の領域が含まれており、それによって、少なくとも１つの叉部と清掃材との間の摩擦を更に増大させるように、少なくとも１つの叉部の表面の少なくとも一部にわたってエッチング、スクラッチング、研磨を施すなどして、少なくとも１つの叉部の表面を修正する。
【００２０】
１つの実施形態では、少なくとも１つの叉部の長さは約１ｃｍ〜約２５ｃｍであり、別の実施形態では約５ｃｍ〜約２０ｃｍ、別の実施形態では約１０ｃｍ〜約１５ｃｍ、別の実施形態では約５ｃｍ超、別の実施形態では約１０ｃｍ超である。１つの実施形態では、少なくとも１つの叉部の幅は約２ｍｍ〜約３０ｍｍであり、別の実施形態では約５ｍｍ〜約２０ｍｍ、別の実施形態では約８ｍｍ〜約１５ｍｍ、別の実施形態では約５ｍｍ超、別の実施形態では約８ｍｍ超である。１つの実施形態では、少なくとも１つの叉部の高さは約１ｍｍ〜約１５ｍｍであり、別の実施形態では約２ｍｍ〜約１０ｍｍ、別の実施形態では約３ｍｍ〜約８ｍｍ、別の実施形態では約２ｍｍ超、別の実施形態では約３ｍｍ超である。
【００２１】
１つの実施形態では、清掃用具には少なくとも２つの叉部がある。このような実施形態では、少なくとも２つの叉部は、長手軸とほぼ平行になっている。長手軸は、本明細書で使用する時、必ずしも物理的に表示されているとは限らない。長手軸は、１つの実施形態では、少なくとも２つの叉部とほぼ平行である基準点としての機能を果たす想像線である。１つの実施形態では、少なくとも２つの叉部は、その最長寸法、例えば長さに沿ってほぼ平行である。
【００２２】
１つの実施形態では、清掃材を嵌合させ、清掃用具を長手軸を中心に３６０°回転させると、清掃部分が少なくとも１８５°の間の表面と接触可能になり、別の実施形態では少なくとも２００°、別の実施形態では少なくとも２７０°、別の実施形態では少なくとも３００°、別の実施形態では少なくとも３３０°、別の実施形態では約２９０°〜約３６０°、別の実施形態では約３００°〜約３３０°、別の実施形態では約２００°〜約３３０°の回転である。１つの実施形態では、清掃用具の回転は、回転した時に清掃部分が変形しないようにして実施する。
【００２３】
１つの実施形態では、叉部は、旋回軸のまわりに回転させる時、叉部がほぼ隣接するように回転させる。別の実施形態では、旋回軸のまわりに回転させた時、叉部の内角は約９０°未満であり、別の実施形態では約４５°未満、別の実施形態では約３０°未満、別の実施形態では約１５°未満、別の実施形態では約５°未満、別の実施形態では約２°未満、別の実施形態では約１°〜約２５°、別の実施形態では約０°〜約１０°である。
【００２４】
清掃材
本発明の清掃材には、少なくとも１つの清掃部分がある。本発明の清掃部分には、清掃する表面と効率的に接触する、清掃効果のある領域が備わっている。１つの実施形態では、本発明の清掃材には、清掃材の第１の側面の上に清掃部分がある。別の実施形態では、清掃材には、その清掃材の少なくとも２つの側面の上に清掃面がある。別の実施形態では、清掃用具の外面は、実質的に清掃部分から構成されている。清掃材が、第１の側面に清掃部分を備えている場合、清掃材には更に、第２の側面の上に少なくとも１つの基材を搭載してもよい。理論に束縛されるものではないが、少なくとも１つの基材は、清掃部分を清掃材の上に固定する。
【００２５】
本発明の清掃材としては、織材及び不織材が挙げられるが、これらに限らない。本発明で用いる織材としては、織ファブリック、織クロスなどが挙げられるが、これらに限らない。本発明で用いる不織材としては、スポンジ、不織シート、ペーパータオル、テイッシュ、及び、シートなどが挙げられる。清掃材の非限定的な実施例の１つは、「清掃物品（Cleaning Article）」という表題が付されたヨシノリ（Yoshinori）らによる米国特許第６，８１３，８０１号に見られ、その内容は参照することにより本明細書に組み込まれる。
【００２６】
旋回軸
１つの実施形態では、本発明には、少なくとも第１の叉部及び第２の叉部が備わっており、旋回軸が第１の叉部と第２の叉部との間に縦方向に配置されている。本発明の旋回軸には、少なくとも１つの叉部が、旋回点及び／又は支点の位置で、長手軸のまわりに少なくとも部分的に回転可能であるようにするいずれかの機構が備わっている。１つの実施例では、旋回軸は、第１の叉部と第２の叉部との間に脆弱線を成形させることによって作製する。別の実施形態では、旋回軸は、共成形、溶接、接合、及び／又は、成形によって作製する。本発明の旋回軸には、ヒンジなどが備わっている。
【００２７】
ロック
１つの実施形態では、本発明には、少なくとも１つの叉部に機能的に連結しているロックが備わっており、前記ロックは、少なくとも１つの叉部を旋回軸のまわりの位置に少なくとも一時的に固定することが可能である。１つの実施形態では、ロックから成る部分が各叉部の上に配置されている。別の実施形態では、ロックから成る部分が１つの叉部の上に配置されている。好適なロックとしては、圧力嵌め装置、ヒンジなしラッチ、ヒンジを１つ備えているラッチ、ヒンジを２つ備えているラッチ、スナップ、フックループ式ファスナー（一般にはベルクロ（Velcro）（登録商標）と呼ばれている）、マグネット付きプレート、両面マグネット、クランプなどが挙げられる。
【００２８】
本発明の１つの実施形態では、本発明には１つ以上のロックが備わっている。更に別の実施形態では、本発明には第１のロックと第２のロックが備わっている。このような実施形態では、本発明の装置は、少なくとも１つの叉部を旋回軸のまわりに少なくとも２つ以上の位置に、別の実施形態では２つの位置に一時的に固定することが可能である。非限定的な実施例として、本発明の第１のロックは、角の中心又は頂点として旋回軸のまわりで測定した場合で、叉部を少なくとも約１６５°に、別の実施形態では少なくとも約１７０°に、別の実施形態では少なくとも約１７５°に、別の実施形態では実質的に平面に固定するために使用する。本発明の第２のロックは、叉部を固定するために、角の中心又は頂点として旋回軸のまわりで測定した場合で、約２０°未満に、別の実施形態では約１５°未満に、別の実施形態では約１０°未満に、別の実施形態では約５°未満に、別の実施形態では実質的に平行に叉部を少なくとも固定するために使用する。
【００２９】
ロックが１つ以上存在している場合、叉部は、複数の位置に少なくとも一時的に固定される場合があると考えられる。頂点のように、旋回軸とともに第１の叉部及び第２の叉部からの角度によって形成される前記位置としては、ほぼ平面、ほぼ平行、ほぼ垂直、鋭角、鈍角、約９０°未満、約９０°超、４５°未満、４５°超、約１０°未満、約５°未満、約１７０°〜約１９０°、約１７５°〜約１８５°が挙げられる。
【実施例】
【００３０】
以下の実施例は一例であり、本発明のすべての構成を表示又は示唆するものではない。
【００３１】
図１及び２には、第１の叉部１６、第２の叉部１７、及び基部１２から成る清掃用具１０が示されている。第１の干渉ゾーン１８及び第２の干渉ゾーン２６は、第１の叉部１６、第２の叉部１７双方の上に配置されている。ラッチ２０は第２の叉部１７の上に配置されており、ラッチ収容部２２は第１の叉部１６の上に配置されている。旋回軸２４は、第１の叉部１６と第２の叉部１７との間に縦方向に配置されている。ラチェットジョイント１８は、基部１２に機能的に連結している。ラチェットジョイント１８は、ハンドル（図示なし）に連結させることが可能である。
【００３２】
図３及び４には、第１の叉部１１６、第２の叉部１１７、及び、基部１１２から成る清掃用具１１０が示されている。第１の干渉ゾーン１１８及び第２の干渉ゾーン１２６は、第１の叉部１１６、第２の叉部１１７双方の上に配置されている。ラッチ１２０は第２の叉部１１７の上に配置されており、ラッチ収容部１２２は第１の叉部１１６の上に配置されている。旋回軸１２４は、第１の叉部１１６と第２の叉部１１７との間に縦方向に配置されている。ラチェットジョイント１１８は、基部１１２に機能的に連結している。ラチェットジョイント１１８は、ハンドル（図示なし）に連結させることが可能である。
【００３３】
図５及び６には、第１の叉部２１６、第２の叉部２１７、及び基部２１２から成る清掃用具２１０が示されている。第１の干渉ゾーン２１８及び第２の干渉ゾーン２２６は、第１の叉部２１６、第２の叉部２１７双方の上に配置されている。スナップ２２０は第２の叉部２１７の上に配置されており、スナップ収容部２２２は第１の叉部２１６の上に配置されている。旋回軸２２４は、第１の叉部２１６と第２の叉部２１７の間に縦方向に配置されている。ラチェットジョイント２１８は、基部２１２に機能的に連結している。ラチェットジョイント２１８は、ハンドル（図示なし）に連結させることが可能である。
【００３４】
図７〜１１には、第１の叉部３１６、第２の叉部３１７、及び、基部３１２から成る清掃用具３１０が示されている。第１の干渉ゾーン３１８及び雄部３３４及び雌部３３６から成る第２の干渉ゾーンが、第１の叉部３１６、第２の叉部３１７双方の上に配置されている。第１のロックが、第２の叉部３１７の上に配置されているラッチ３２０、及び、第１の叉部３１６の上に配置されているラッチ収容部３２２によって形成されている。旋回軸３２４が、第１の叉部３１６と第２の叉部３１７との間に縦方向に配置されている。ハンドル収容部３３８が基部３１２と機能的に連結しており、収容部は、ハンドル（図示なし）に連結させることが可能である。第２のロックが、雄ロック部３３２及び雌ロック部３３０によって形成されている。
【００３５】
本記述全体にわたって言及したすべての特許、特許出願（及びそれに基づいて発行されたいずれかの特許、並びに関連して発行されたいずれかの外国特許出願も）、及び公開公告の開示内容を本明細書に参考として組み込む。しかしながら、本明細書に参考として組み込まれる文献のいずれもが本発明を教示あるいは開示していないことを明言する。本書における用語のいずれかの意味又は定義が、参考として組み込まれた文献におけるその用語のいずれかの意味又は定義と相反する限りにおいては、本書においてその用語に与えられた意味又は定義を適用するものとする。
【００３６】
本明細書を通じて記載されているあらゆる最大数値限定には、それよりも小さい数値限定があたかも本明細書に明示的に記載されているかのように、前記の小さいあらゆる数値限定が含まれていると理解すべきである。本明細書を通じて記載されているあらゆる最小数値限定には、それよりも大きい数値限定が本明細書に明確に記載されているかのように、前記の大きいあらゆる数値限定が含まれている。本明細書全体を通じて記載されているあらゆる数値範囲には、前記の広い数値範囲内に含まれているそれよりも狭いあらゆる数値範囲が、全て本明細書に明示的に記載されているかのように、前記狭い数値範囲が含まれている。
【００３７】
「発明を実施するための最良の形態」で引用した全ての文献は、関連部分において本明細書に参照として組み込まれるが、いずれの文献の引用も、それが本発明に関して先行技術であることを容認するものとして解釈すべきではない。本書における用語のいずれかの意味又は定義が、参照として組み込まれた文献における用語のいずれかの意味又は定義と対立する範囲内においては、本書においてその用語に与えられた意味又は定義を適用するものとする。
【００３８】
本発明の特定の実施形態を例示し記載してきたが、本発明の精神及び範囲から逸脱することなく、その他の様々な変更及び修正を実施できることは、当業者には明白であろう。従って、本発明の範囲内にあるそのようなすべての変更及び修正を、添付の特許請求の範囲で扱うものとする。
【００３９】
本明細書は、本発明を特に指摘し明確に請求する請求項をもって結論とするが、本発明は、下記の説明を添付図面と併せ読むことで更に理解されると考えられる。
【図面の簡単な説明】
【００４０】
【図１】第１の清掃用具の底面等角図。
【図２】第１の清掃用具の上面等角図。
【図３】第２の清掃用具の底面等角図。
【図４】第２の清掃用具の上面等角図。
【図５】第３の清掃用具の底面等角図。
【図６】第３の清掃用具の上面等角図。
【図７】第４の清掃用具の底面等角図。
【図８】第４の清掃用具の上面等角図。
【図９】閉鎖位置にある第４の清掃用具の左側等角図。
【図１０】閉鎖位置にある第４の清掃用具の右側等角図。
【図１１】閉鎖位置にある第４の清掃用具の左側面図。
【図１】
2008540059.tif 000003
【図２】
2008540059.tif 000004
【図３】
2008540059.tif 000005
【図４】
2008540059.tif 000006
【図５】
2008540059.tif 000007
【図６】
2008540059.tif 000008
【図７】
2008540059.tif 000009
【図８】
2008540059.tif 000010
【図９】
2008540059.tif 000011
【図１０】
2008540059.tif 000012
【図１１】
2008540059.tif 000013
【国際調査報告】
2008540059.tif 000014
2008540059.tif 000015
2008540059.tif 000016
2008540059.tif 000017